(57)【要約】      （修正有）【課題】天板の上に手を突いても、破損し難く、遺品や葬祭具などを収納可能な経机の提供。【解決手段】経典を載せる天板１の下に引き出し挿入部１１を形成し、引き出し挿入部に、経典を収納する引き出し１８を挿入した経机である。引き出し挿入部の下には、遺品や葬祭具などを収納する収納部２１を設けた。収納部は、天井板２２と床板２３の間に左右の側板２４と後側板を配置し、左右の側板を天井板と床板に固定して耐力壁にし、前面から遺品や葬祭具などを出し入れする箱形構造にした。収納部の下面に扁平な脚３１を設けた、又は、脚を設けていない。【選択図】図１
0003121011.tif 000002
【実用新案登録請求の範囲】
【請求項１】
経典を載せる天板の下に引き出し挿入部を形成し、引き出し挿入部に、経典を収納する引き出しを挿入した経机であって、
引き出し挿入部の下には、遺品や葬祭具などを収納する収納部を設け、
収納部は、天井板と床板の間に左右の側板と後側板を配置し、左右の側板を天井板と床板に固定して耐力壁にし、前面から遺品や葬祭具などを出し入れする箱形構造にし、収納部の下面に扁平な脚を設けた、又は、脚を設けていないことを特徴とする経机。
【請求項２】
収納部は、左右の側板にそれぞれ?を上端と下端に設け、天井板と床板にそれぞれ?穴を設け、左右の側板の上端の?をそれぞれ天井板の?穴に差し込み、左右の側板の上端をそれぞれ天井板に接着し、左右の側板の下端の?をそれぞれ床板の?穴に差し込み、左右の側板の下端をそれぞれ床板に接着したことを特徴とする請求項１に記載の経机。
【請求項３】
引き出し挿入部は、天板とその下側に並列した下側板又は収納部の天井板の間に左右の側板と後側板を配置し、左右の側板を天板と下側板又は収納部の天井板に固定して耐力壁にし、前面から引き出しを嵌め込む箱形構造にしたことを特徴とする請求項１又は２に記載の経机。
【考案の詳細な説明】
【技術分野】
【０００１】
本考案は、読経する際に経典を載せる経机に関する。
【背景技術】
【０００２】
［伝統的な経机］
伝統的な経机は、長方形板の台輪を水平に配置し、台輪の前後左右の四隅の下にそれぞれ棒状の脚を取り付けている。台輪は、前後左右の四隅の上にそれぞれ管を設立し、右側の前後の両管の間、左側の前後の両管の間、及び、後側の左右の両管の間にそれぞれ長方形板の木瓜を嵌め込んでいる。四本の管の上には、長方形板の天板を取り付けている。天板は、上面の左右両端にそれぞれ筆返しを設けている。
【０００３】
天板と台輪及び左右の両木瓜と後側の木瓜によって箱形の引き出し挿入部を形成している。引き出し挿入部には、箱形の引き出しを挿入している。引き出しには、経典を収納する。
【０００４】
このような経机は、仏壇の前に配置される。お経を読む人は、経机の前に座って仏壇と対面する。そして、経机の引き出しから経典を取り出す。経典は、経机の天板の上に載せて開ける。そして、読経する。
【０００５】
［折り畳み式経机（特許文献１、２）］
折り畳み式の経机は、前後左右の四隅に棒状の脚を設ける代わりに、左右の両側に板状の脚を設けている。両側の各板状脚は、それぞれ、蝶番で折り畳み可能に取り付けている。両側の板状脚を天板と直交する縦位置、使用位置に保持する脚保持棒を設けている。
【０００６】
脚を折り畳むときには、脚保持棒を外す。そして、両側の板状脚は、蝶番を中心に回転して、天板と平行する横位置、折り畳み位置に移動する。
【０００７】
【特許文献１】実開昭５７−１７８５８２号公報
【特許文献２】登録実用新案第３０４１７２１号公報
【考案の開示】
【考案が解決しようとする課題】
【０００８】
［背景技術の課題］
１）経机の前に座った人は、立ち上がるときに、経机の上に手を突いて、身体を腕で安定させたり、立ち上がり力を腕で発生させたりすることがある。経机は、上に手を突くと、天板から脚に下向きの力が加わる。
【０００９】
ところが、伝統的な経机は、棒状の脚が細長くて少し湾曲し、四隅の棒状の脚が下に向うに連れて広がる下開き状の形態になっている。天板に下向きの大きな力が加わると、棒状の脚が破損することがある。
【００１０】
また、折り畳み式の経机は、脚保持棒が細長い上、両側の板状脚が蝶番で回転可能に取り付けられている。天板に下向きの大きな力が加わると、脚保持棒や板状の脚が破損することがある。
【００１１】
２）経机は、天板の下の引き出しに経典を収納する。また、経机に故人の遺品や葬祭具などを収納しておきたいことがある。
【００１２】
ところが、経机の引き出しは、経典収納用であり、経典を収納すると、他の物、遺品や葬祭具などを収納する余地が少ない。また、経机は、天板の下の引き出しを容積増大のため下方へ拡大することが可能であるが、下方に拡大した引き出しは、引き出し時に、経机の前に座っている人の膝に当ることになる。使用し難くなる。
【００１３】
［課題を解決するための着想］
経机は、引き出し挿入部の下、四隅の棒状の脚又は両側の板状の脚の間が空所になっている。そこで、引き出し挿入部の下の空所には、従来の棒状の脚や板状の脚に代えて、遺品や葬祭具などを収納する箱形状の収納部を設けることにした。
【００１４】
この収納部は、天井板と床板の間に左右の側板と後側板を配置し、左右の側板を天井板と床板に固定して構成する。前面から遺品を出し入れする箱形構造にする。引き出しの構造にはしない。また、この箱形状の収納部は、下面に扁平な脚を設ける、又は、設けない。このような箱形構造は、左右の側板が耐力壁であり、上から加わる下向きの力に対して強い。天板の上に手を突いても、破損し難い。
【課題を解決するための手段】
【００１５】
１）経典を載せる天板の下に引き出し挿入部を形成し、引き出し挿入部に、経典を収納する引き出しを挿入した経机であって、
引き出し挿入部の下には、遺品や葬祭具などを収納する収納部を設け、
収納部は、天井板と床板の間に左右の側板と後側板を配置し、左右の側板を天井板と床板に固定して耐力壁にし、前面から遺品や葬祭具などを出し入れする箱形構造にし、収納部の下面に扁平な脚を設けた、又は、脚を設けていないことを特徴とする。
【００１６】
２）上記の経机において、
収納部は、左右の側板にそれぞれ?を上端と下端に設け、天井板と床板にそれぞれ?穴を設け、左右の側板の上端の?をそれぞれ天井板の?穴に差し込み、左右の側板の上端をそれぞれ天井板に接着し、左右の側板の下端の?をそれぞれ床板の?穴に差し込み、左右の側板の下端をそれぞれ床板に接着したことを特徴とする。
【００１７】
３）上記の経机において、
引き出し挿入部は、天板とその下側に並列した下側板又は収納部の天井板の間に左右の側板と後側板を配置し、左右の側板を天板と下側板又は収納部の天井板に固定して耐力壁にし、前面から引き出しを嵌め込む箱形構造にしたことを特徴とする。
【考案の効果】
【００１８】
経机の前に座った人が立ち上がるときに天板の上に手を突いても、破損し難い。また、引き出し挿入部の下の収納部には、遺品や葬祭具などを収納することができる。
【考案を実施するための最良の形態】
【００１９】
［第１例（図１〜図４参照）］
本例の経机は、図１と図２に示すように、天板１の下に引き出し挿入部１１を形成し、引き出し挿入部１１に引き出し１８を挿入し、引き出し挿入部１１の下に収納部２１を設けている。天板１の上には、経典を載せる。引き出し１８には、経典を収納する。収納部２１には、遺品や葬祭具などを収納する。
【００２０】
天板１は、長方形板であり、上面の左右両端にそれぞれ筆返し２を設けている。
【００２１】
引き出し挿入部１１は、図１〜図３に示すように、天板１とその下側に並列した下側板１２の間に左右の側板１３と後側板１４を配置し、左右の各側板１３の上端と下端を、それぞれ、天板１と下側板１２に固定して構成している。下側板１２、左右の側板１３と後側板１４は、それぞれ、長方形板である。前面が開放した箱形構造である。左右の側板１３は、上から加わる下向きの力に耐え、耐力壁である。
【００２２】
左右の各側板１３は、それぞれ、複数の?１５を上端と下端に設けている。天板１は、下面に複数の?穴を設けている。下側板１２は、上面に複数の?穴を設けている。各側板１３の上端の各?１５は、それぞれ、天板１下面の各?穴に差し込んでいる。左右の各側板１３の上端は、それぞれ、天板１の下面に接着している。各側板１３の下端の各?１５は、それぞれ、下側板１２上面の各?穴に差し込んでいる。左右の各側板１３の下端は、それぞれ、下側板１２の上面に接着している。左右の各側板１３は、それぞれ、内面の後端部に溝１６を上下方向に貫通して形成している。左右の溝１６には、後側板１４の左右の端部を嵌合している。後側板１４は、左右の側板１３の後端部の溝１６の間に嵌め込んで、天板１と下側板１２の間に挟んでいる。
【００２３】
引き出し１８は、上面が開放した箱形構造である。箱形の引き出し１８は、箱形の引き出し挿入部１１にその開放前面から引き出し可能に嵌め込んでいる。
【００２４】
収納部２１は、図１、図２と図４に示すように、下側板１２の下面に天井板２２を接着して固定し、天井板２２とその下側に並列した床板２３の間に左右の側板２４と後側板２５を配置し、左右の各側板２４の上端と下端をそれぞれ天井板２２と床板２３に固定して構成している。天井板２２、床板２３、左右の側板２４と後側板２５は、それぞれ、長方形板である。前面が開放した箱形構造である。開放前面から遺品や葬祭具などを出し入れする。左右の側板２４は、上から加わる下向きの力に耐え、耐力壁である。
【００２５】
左右の各側板２４は、それぞれ、複数の?２６を上端と下端に設けている。天井板２２は、下面に複数の?穴を設けている。床板２３は、上面に複数の?穴を設けている。各側板２４の上端の各?２６は、それぞれ、天井板２２下面の各?穴に差し込んでいる。左右の各側板２４の上端は、それぞれ、天井板２２の下面に接着している。各側板２４の下端の各?２６は、それぞれ、床板２３上面の各?穴に差し込んでいる。左右の各側板２４の下端は、それぞれ、床板２３の上面に接着している。左右の各側板２４は、それぞれ、内面の後端部に溝２７を上下方向に貫通して形成している。左右の溝２７には、後側板２５の左右の端部を嵌合している。後側板２５は、左右の側板２４の後端部の溝２７の間に嵌め込んで、天井板２２と床板２３の間に挟んでいる。
【００２６】
収納部２１の下面には、前後左右の四隅に、それぞれ、平たくて低い扁平な脚３１を設けている。
【００２７】
なお、収納部２１は、遺品や葬祭具などを出し入れする前面が開放しているが、その前面に、左右方向に開く引き戸式の蓋、又は、上下動して着脱するけんどん式の蓋を設けてもよい。また、扁平な脚３１は、設けなくてもよい。
【００２８】
［第２例（図５〜図８参照）］
本例の経机は、第１例における引き出し挿入部１１の下側板１２が収納部２１の天井板２２に兼用されている。第１例における下側板１２と天井板２２の２枚が本例における天井板２２の１枚になり、部品点数が少なくなる。
【００２９】
また、引き出し挿入部１１と収納部２１は、第１例におけるのとは異なり、平面の形状寸法が同一である。収納部２１の左右の側板２４、耐力壁２４は、それぞれ、引き出し挿入部１１の左右の側板１３、耐力壁１３と同一の垂直面内に配置されている。収納部２１の後側板２５は、引き出し挿入部１１の後側板１４と同一の垂直面内に配置されている。天板１の上から加わる下向きの力に対して強くなる。
【００３０】
その他の点は、第１例におけるのと同様である。
【図面の簡単な説明】
【００３１】
【図１】本考案の実施形態の第１例における経机の正面図。
【図２】同例の経机の側面図。
【図３】図１のＡ−Ａ線断面図。
【図４】図１のＢ−Ｂ線断面図。
【図５】本考案の実施形態の第２例における経机の正面図。
【図６】同例の経机の側面図。
【図７】図５のＣ−Ｃ線断面図。
【図８】図５のＤ−Ｄ線断面図。
【符号の説明】
【００３２】
１  天板
２  筆返し
１１  引き出し挿入部
１２  下側板
１３  左右の側板、耐力壁
１４  後側板
１５  ?
１６  溝
１８  引き出し
２１  収納部
２２  天井板
２３  床板
２４  左右の側板、耐力壁
２５  後側板
２６  ?
２７  溝
３１  扁平な脚
【図１】
0003121011.tif 000003
【図２】
0003121011.tif 000004
【図３】
0003121011.tif 000005
【図４】
0003121011.tif 000006
【図５】
0003121011.tif 000007
【図６】
0003121011.tif 000008
【図７】
0003121011.tif 000009
【図８】
0003121011.tif 000010
【手続補正書】
【提出日】平成18年2月22日(2006.2.22)
【手続補正１】
【補正対象書類名】実用新案登録請求の範囲
【補正対象項目名】全文
【補正方法】変更
【補正の内容】
【実用新案登録請求の範囲】
【請求項１】
経典を載せる天板の下に引き出し挿入部を形成し、引き出し挿入部に、経典を収納する引き出しを挿入した経机であって、
引き出し挿入部の下には、遺品や葬祭具などを収納する収納部を設け、
収納部は、天井板と床板の間に左右の側板と後側板を配置し、左右の側板を天井板と床板に固定して耐力壁にし、前面から遺品や葬祭具などを出し入れする箱形構造にし、収納部の下面に扁平な脚を設けた、又は、脚を設けていないことを特徴とする経机。
【請求項２】
収納部は、左右の側板にそれぞれほぞを上端と下端に設け、天井板と床板にそれぞれほぞ穴を設け、左右の側板の上端のほぞをそれぞれ天井板のほぞ穴に差し込み、左右の側板の上端をそれぞれ天井板に接着し、左右の側板の下端のほぞをそれぞれ床板のほぞ穴に差し込み、左右の側板の下端をそれぞれ床板に接着したことを特徴とする請求項１に記載の経机。
【請求項３】
引き出し挿入部は、天板とその下側に並列した下側板又は収納部の天井板の間に左右の側板と後側板を配置し、左右の側板を天板と下側板又は収納部の天井板に固定して耐力壁にし、前面から引き出しを嵌め込む箱形構造にしたことを特徴とする請求項１又は２に記載の経机。
【手続補正２】
【補正対象書類名】明細書
【補正対象項目名】００１６
【補正方法】変更
【補正の内容】
【００１６】
２）上記の経机において、
収納部は、左右の側板にそれぞれほぞを上端と下端に設け、天井板と床板にそれぞれほぞ穴を設け、左右の側板の上端のほぞをそれぞれ天井板のほぞ穴に差し込み、左右の側板の上端をそれぞれ天井板に接着し、左右の側板の下端のほぞをそれぞれ床板のほぞ穴に差し込み、左右の側板の下端をそれぞれ床板に接着したことを特徴とする。
【手続補正３】
【補正対象書類名】明細書
【補正対象項目名】００２２
【補正方法】変更
【補正の内容】
【００２２】
左右の各側板１３は、それぞれ、複数のほぞ１５を上端と下端に設けている。天板１は、下面に複数のほぞ穴を設けている。下側板１２は、上面に複数のほぞ穴を設けている。各側板１３の上端の各ほぞ１５は、それぞれ、天板１下面の各ほぞ穴に差し込んでいる。左右の各側板１３の上端は、それぞれ、天板１の下面に接着している。各側板１３の下端の各ほぞ１５は、それぞれ、下側板１２上面の各ほぞ穴に差し込んでいる。左右の各側板１３の下端は、それぞれ、下側板１２の上面に接着している。左右の各側板１３は、それぞれ、内面の後端部に溝１６を上下方向に貫通して形成している。左右の溝１６には、後側板１４の左右の端部を嵌合している。後側板１４は、左右の側板１３の後端部の溝１６の間に嵌め込んで、天板１と下側板１２の間に挟んでいる。
【手続補正４】
【補正対象書類名】明細書
【補正対象項目名】００２５
【補正方法】変更
【補正の内容】
【００２５】
左右の各側板２４は、それぞれ、複数のほぞ２６を上端と下端に設けている。天井板２２は、下面に複数のほぞ穴を設けている。床板２３は、上面に複数のほぞ穴を設けている。各側板２４の上端の各ほぞ２６は、それぞれ、天井板２２下面の各ほぞ穴に差し込んでいる。左右の各側板２４の上端は、それぞれ、天井板２２の下面に接着している。各側板２４の下端の各ほぞ２６は、それぞれ、床板２３上面の各ほぞ穴に差し込んでいる。左右の各側板２４の下端は、それぞれ、床板２３の上面に接着している。左右の各側板２４は、それぞれ、内面の後端部に溝２７を上下方向に貫通して形成している。左右の溝２７には、後側板２５の左右の端部を嵌合している。後側板２５は、左右の側板２４の後端部の溝２７の間に嵌め込んで、天井板２２と床板２３の間に挟んでいる。
【手続補正５】
【補正対象書類名】明細書
【補正対象項目名】００３２
【補正方法】変更
【補正の内容】
【００３２】
１  天板
２  筆返し
１１  引き出し挿入部
１２  下側板
１３  左右の側板、耐力壁
１４  後側板
１５  ほぞ
１６  溝
１８  引き出し
２１  収納部
２２  天井板
２３  床板
２４  左右の側板、耐力壁
２５  後側板
２６  ほぞ
２７  溝
３１  扁平な脚